(57)【要約】【課題】簡易な構成で既存の警報装置を持ち運び自在とした防犯システムを提供する。【解決手段】窓１に設けられ異常発生時に無線信号を発信するクレセント２と、クレセント２からの無線信号を受信し、異常発生を検出したら警報音を発生する防犯警報装置３と、防犯警報装置３からの信号を受信し、電話回線を介して外部に信号を送信する発報装置４とからなる防犯システムにおいて、防犯警報装置３はクレセント２からの信号を受信して警報音を発生する箱状の装置本体１０と、装置本体１０からの信号を無線信号として発報装置４に対し送出する箱状の無線発信器１１と、装置本体１０及び無線発信器１１を一体的に結合する保持台１２とからなる。【選択図】図１
2006233678.tif 000002
【特許請求の範囲】
【請求項１】
窓に設けられ異常発生時に無線信号を発信するクレセントと、該クレセントからの無線信号を受信し、異常発生を検出したら警報音を発生する防犯警報装置と、該防犯警報装置からの信号を受信し、電話回線を介して外部に信号を送信する発報装置とからなる防犯システムにおいて、
上記防犯警報装置は上記クレセントからの信号を受信して警報音を発生する箱状の装置本体と、該装置本体からの信号を無線信号として上記発報装置に対し送出する箱状の無線発信器と、上記装置本体及び無線発信器を一体的に結合する保持台とからなることを特徴とする防犯システム。
【請求項２】
上記保持台は箱状に形成されてなる上記装置本体の裏面に固定される本体固定部と、該本体固定部の上部に着脱自在に設けられ上記無線発信器を固定する発信器固定部とを有してなることを特徴とする請求項１記載の防犯システム。
【請求項３】
上記保持台の本体固定部には該本体固定部と上記装置本体とを後方から支持する脚部が取付けられてなることを特徴とする請求項２記載の防犯システム。
【発明の詳細な説明】
【技術分野】
【０００１】
本発明は、窓に設けられるクレセントからの無線信号を受信して警報を発生する警報装置を有した防犯システムに関し、特に警報装置を持ち運び自在な防犯システムに関する。
【背景技術】
【０００２】
窓に設けられるクレセントに無線送信器を内蔵させ、クレセントの操作に伴って無線信号を送出し、その無線信号を警報装置により受信して、異常発生を検出した場合には警報を発生する防犯システムが知られている。さらに、警報装置からの信号を発報装置により受信し、発報装置から電話回線を介して携帯電話等の外部の機器に情報を送信するものも知られている。この場合において、警報装置と発報装置は、いずれも室内の壁面に固定されるのが一般的である。また、警報装置と発報装置は、有線で接続されており、信号が送受信される。
【発明の開示】
【発明が解決しようとする課題】
【０００３】
しかし、警報装置は壁面に固定されているために、住宅のうち一つの部屋でしか警報を発生することができない。そこで、人が住宅内を移動するのに伴って、持ち運び自在な警報装置が望まれていた。そのために警報装置内に無線送信器を有する構成とすることもできるが、既存の警報装置を用いることができないので、コストが高くなる。また、既に住宅に取付けられた警報装置については、交換することが必要になり、さらにコストが高くなる。
【０００４】
本発明は、上記課題を解決すべくなされたものであり、簡易な構成で既存の警報装置を持ち運び自在とした防犯システムを提供することを目的とする。
【課題を解決するための手段】
【０００５】
上記課題を解決するため、本発明に係る防犯システムは、窓に設けられ異常発生時に無線信号を発信するクレセントと、該クレセントからの無線信号を受信し、異常発生を検出したら警報音を発生する防犯警報装置と、該防犯警報装置からの信号を受信し、電話回線を介して外部に信号を送信する発報装置とからなる防犯システムにおいて、
上記防犯警報装置は上記クレセントからの信号を受信して警報音を発生する箱状の装置本体と、該装置本体からの信号を無線信号として上記発報装置に対し送出する箱状の無線発信器と、上記装置本体及び無線発信器を一体的に結合する保持台とからなることを特徴として構成されている。
【０００６】
また、本発明に係る防犯システムは、上記保持台は箱状に形成されてなる上記装置本体の裏面に固定される本体固定部と、該本体固定部の上部に着脱自在に設けられ上記無線発信器を固定する発信器固定部とを有してなることを特徴として構成されている。
【０００７】
さらに、本発明に係る防犯システムは、上記保持台の本体固定部には該本体固定部と上記装置本体とを後方から支持する脚部が取付けられてなることを特徴として構成されている。
【発明の効果】
【０００８】
本発明に係る防犯システムによれば、防犯警報装置はクレセントからの信号を受信して警報音を発生する箱状の装置本体と、装置本体からの信号を無線信号として発報装置に対し送出する箱状の無線発信器と、装置本体及び無線発信器を一体的に結合する保持台とからなることにより、防犯警報装置を容易に持ち運びすることができる。また、既存の装置本体を用いることができるので、持ち運び自在としたことによるコストアップを抑えることができる。
【０００９】
また、本発明に係る防犯システムによれば、保持台は箱状に形成されてなる装置本体の裏面に固定される本体固定部と、本体固定部の上部に着脱自在に設けられ無線発信器を固定する発信器固定部とを有してなることにより、装置本体と無線発信器を保持台により容易に結合させることができる。
【００１０】
さらに、本発明に係る防犯システムによれば、保持台の本体固定部には本体固定部と装置本体とを後方から支持する脚部が取付けられてなることにより、装置本体の視認性及び操作性を向上させることができる。
【発明を実施するための最良の形態】
【００１１】
本発明の実施形態について、図面に沿って詳細に説明する。図１は本実施形態における防犯システムの概要図である。この図に示すように本実施形態における防犯システムは、サッシ１に設けられ内部に無線送信器を内蔵したクレセント２と、クレセント２からの無線信号を受信して、異常発生を検出した場合には警報を発生する防犯警報装置３と、防犯警報装置３からの無線信号を受信して、電話回線５を介して外部の端末６に情報を送信する発報装置４とから構成されている。防犯警報装置３は、建物内に設けられた複数のサッシ１、１からの無線信号を受信する。
【００１２】
防犯システムのうち、防犯警報装置３については、無線信号を受信して警報を発生する装置本体１０と、異常発生の場合に発報装置４に対して無線信号を送信する無線発信器１１と、装置本体１０及び無線発信器１１を一体的に結合する保持台１２とから構成されている。
【００１３】
防犯警報装置３について、より詳細に説明する。図２には、防犯警報装置３の斜視図を示している。装置本体１０は、薄い箱状に形成されており、表面には操作部２０と表示部２１及び音声発生部２２が配置されている。操作部２０は、それぞれのサッシ１毎の設定などを行うことができるようにされている。表示部２１は、それぞれのサッシ１毎に異常発生を知らせると共に、防犯警報装置３のモードを表示する。音声発生部２２は、音声を発生するスピーカであって、音声で異常が発生したことを知らせるものである。
【００１４】
無線発信器１１は、装置本体１０よりも小型であって、装置本体１０と略同じ厚みを有した箱状に形成される。また、無線発信器１１は裏面側で装置本体１０と信号線を介して接続されており、装置本体１０からの信号を受信したら、それに応じた無線信号を発報装置４に送信する。
【００１５】
保持台１２は、装置本体１０の裏面のうち、略上半分を覆うように固定される本体固定部３０と、本体固定部３０の上部に着脱自在に設けられ、無線発信器１１を裏面側から固定する発信器固定部３１と、本体固定部３０に対して取付けられ本体固定部３０と装置本体１０を後方から支持する脚部３２とから構成されている。
【００１６】
図３には、脚部３２を除く防犯警報装置３の背面図を示している。本体固定部３０は、装置本体１０をネジにより固定するためのネジ孔３０ａを有している。装置本体１０は、壁面に取付けるためのネジ孔を裏面に有しており、それに適合する位置に本体固定部３０のネジ孔３０ａが形成されている。
【００１７】
また、本体固定部３０は、両側部に脚部３２を固定するための脚部固定孔３０ｂを有している。さらに、上面は２か所が切り欠かれて中央部に挿入部３０ｃが形成されており、発信器固定部３１に形成される取付部３１ａに挿入され、これを固定する。
【００１８】
図４には、防犯警報装置３の側面図を示している。この図に示すように、装置本体１０と無線発信器１１は、略同じ厚さを有しており、また本体固定部３０と発信器固定部３１も略同じ厚さを有しているので、発信器固定部３１を本体固定部３０に取付けた状態で、装置本体１０と無線発信器１１は前面が略面一状となっている。
【００１９】
脚部３２は、図４に示すように略三角形状に形成されており、本体固定部３０の上部には本体固定部３０の脚部固定孔３０ｂに挿入される突起部３２ａが形成され、下部には装置本体１０の背面に当接してこれを支持する本体支持部３２ｂが形成されている。脚部３２は、本体固定部３０と装置本体１０を背面側から傾斜状となるように支持している。装置本体１０は、傾斜状に立った状態となるので、表示部２１の視認性をよくすることができ、また操作部２０での操作もしやすくすることができる。
【００２０】
このように防犯警報装置３は、装置本体１０と無線発信器１１とを一体的に結合する保持台１２を有してなることにより、利用者が部屋を移動する際に一体的に持ち運びが可能である。
【００２１】
以上、本発明の実施形態について説明したが、本発明の適用は本実施形態には限られず、その技術的思想の範囲内において様々に適用されうるものである。例えば、本実施形態では脚部３２を有した保持台１２を用いているが、脚部３２を有しないものであっても装置本体１０と無線発信器１１とを一体的に結合できるものであればよい。
【図面の簡単な説明】
【００２２】
【図１】本実施形態における防犯システムの概要図である。
【図２】防犯警報装置の斜視図である。
【図３】防犯警報装置の脚部を除いた背面図である。
【図４】防犯警報装置の側面図である。
【符号の説明】
【００２３】
１    サッシ
２    クレセント
３    防犯警報装置
４    発報装置
５    電話回線
６    端末
１０    装置本体
１１    無線発信器
１２    保持台
３０    本体固定部
３１    発信器固定部
３２    脚部
【図１】
2006233678.tif 000003
【図２】
2006233678.tif 000004
【図３】
2006233678.tif 000005
【図４】
2006233678.tif 000006